【手続補正書】
【提出日】平成20年1月28日(2008.1.28)
【手続補正１】
【補正対象書類名】明細書
【補正対象項目名】特許請求の範囲
【補正方法】変更
【補正の内容】
【特許請求の範囲】    
【請求項１】
第1の電極群と第2の電極群とに交互にサステインパルスを印加することにより繰り返し放電が行われるプラズマディスプレイ装置の駆動方法であって、
第1の電極群に第1のサステインパルスを印加した後、引き続き第２の電極群に前記第1のサステインパルスよりも立ち上がり時間または立ち下がり時間の長いサステインパルスを印加する第1の動作と、第1の電極群に第２のサステインパルスを印加した後、引き続き第２の電極群に前記第２のサステインパルスよりも立ち上がり時間または立ち下がり時間の短いサステインパルスを印加する第２の動作とを行うことを特徴とするプラズマディスプレイ装置の駆動方法。
【請求項２】
第1の電極群と第2の電極群とに交互にサステインパルスを印加することにより繰り返し放電が行われるプラズマディスプレイ装置の駆動方法であって、
第１の立ち上がり時間を持つ第1のサステインパルスを第1の電極群に印加した後、引き続き前記第1の立ち上がり時間とは異なる第2の立ち上がり時間を持つ第2のサステインパルスを第2の電極群に印加する第1の動作と、前記第2のサステインパルスを前記第1の電極群に印加した後、引き続き前記第1のサステインパルスを前記第2の電極群に印加する第2の動作とを行うことを特徴とするプラズマディスプレイ装置の駆動方法。
【請求項３】
第1の電極群と第2の電極群とに交互にサステインパルスを印加することにより繰り返し放電が行われるプラズマディスプレイ装置の駆動方法であって、
第１の立ち下がり時間を持つ第1のサステインパルスを第1の電極群に印加した後、引き続き前記第1の立ち下がり時間とは異なる第2の立ち下がり時間を持つ第2のサステインパルスを第2の電極群に印加する第1の動作と、前記第2のサステインパルスを前記第1の電極群に印加した後、引き続き前記第1のサステインパルスを前記第2の電極群に印加する第2の動作とを行うことを特徴とするプラズマディスプレイ装置の駆動方法。
【請求項４】
請求項１乃至３のいずれかに記載のプラズマディスプレイ装置の駆動方法であって、前記第1の動作を行った後、引き続き前記第2の動作を行うことを特徴とするプラズマディスプレイ装置の駆動方法。  
【請求項５】
請求項１または２に記載のプラズマディスプレイ装置の駆動方法であって、前記第1の電極群に印加するサステインパルスと前記第２の電極群に印加するサステインパルスの立ち上がり時間または立ち下がり時間を異ならせる場合、前記第1の動作と前記第2の動作とを交互に繰り返して行うことを特徴とするプラズマディスプレイ装置の駆動方法。
【請求項６】
1フィールドの画像が複数のサブフィールドによって表示され、前記サブフィールドはセル内における電荷を均一にするリセット期間と発光セルを選択するアドレス期間と、選択されたセルを発光させるサステイン期間とを有し、前記サステイン期間では第１の電極群と第２の電極群で１対をなす電極群に交互にサステインパルスを印加することにより繰り返し放電が行われるプラズマディスプレイ装置の駆動方法であって、
前記１対の電極群のそれぞれに、立ち上がり時間または立ち下がり時間の異なる少なくとも2種類のサステインパルスを印加することを特徴とするプラズマディスプレイ装置の駆動方法。
【請求項７】
請求項６に記載のプラズマディスプレイ装置の駆動方法であって、第１の立ち上がり時間または立ち下がり時間を持つ第１のサステインパルスと前記第１のサステインパルスとは立ち上がり時間または立ち下がり時間の異なるサステインパルスの2種類のサステインパルスを前記第１の電極群に交互に印加し、第２の立ち上がり時間または立ち下がり時間を持つ第２のサステインパルスと前記第２のサステインパルスとは立ち上がり時間または立ち下がり時間の異なるサステインパルスの2種類のサステインパルスを前記第２の電極群に交互に印加することを特徴とするプラズマディスプレイ装置の駆動方法。
【請求項８】
互いに独立に駆動可能な第1の電極群及び第2の電極群と、
前記電極群にサステインパルスを印加することにより繰り返し放電を行う駆動回路とを有するプラズマディスプレイ装置であって、
前記駆動回路は第1の電極群に第1のサステインパルスを印加した後、引き続き第２の電極群に前記第1のサステインパルスよりも立ち上がり時間または立ち下がり時間の長いサステインパルスを印加する第1の動作と、第1の電極群に第２のサステインパルスを印加した後、引き続き第２の電極群に前記第２のサステインパルスよりも立ち上がり時間または立ち下がり時間の短いサステインパルスを印加する第２の動作とを行うことを特徴とするプラズマディスプレイ装置。
【請求項９】
互いに独立に駆動可能な第1の電極群及び第2の電極群と、
前記電極群にサステインパルスを印加することにより繰り返し放電を行う駆動回路とを有するプラズマディスプレイ装置であって、
前記駆動回路は第１の立ち上がり時間を持つ第1のサステインパルスを第1の電極群に印加した後、引き続き前記第1の立ち上がり時間とは異なる第2の立ち上がり時間を持つ第2のサステインパルスを第2の電極群に印加する第1の動作と、前記第2のサステインパルスを前記第1の電極群に印加した後、引き続き前記第1のサステインパルスを前記第2の電極群に印加する第2の動作とを行うことを特徴とするプラズマディスプレイ装置。
【請求項１０】
互いに独立に駆動可能な第1の電極群及び第2の電極群と、
前記電極群にサステインパルスを印加することにより繰り返し放電を行う駆動回路とを有するプラズマディスプレイ装置であって、
前記駆動回路は第１の立ち下がり時間を持つ第1のサステインパルスを第1の電極群に印加した後、引き続き前記第1の立ち下がり時間とは異なる第2の立ち下がり時間を持つ第2のサステインパルスを第2の電極群に印加する第1の動作と、前記第2のサステインパルスを前記第1の電極群に印加した後、引き続き前記第1のサステインパルスを前記第2の電極群に印加する第2の動作とを行うことを特徴とするプラズマディスプレイ装置。
【請求項１１】
請求項８乃至１０のいずれかに記載のプラズマディスプレイ装置であって、前記駆動回路は前記第1の動作を行った後、引き続き前記第2の動作を行うことを特徴とするプラズマディスプレイ装置。
【請求項１２】
請求項８乃至１０のいずれかに記載のプラズマディスプレイ装置であって、前記駆動回路は前記第1の電極群に印加するサステインパルスと前記第２の電極群に印加するサステインパルスの立ち上がり時間または立ち下がり時間を異ならせる場合、前記第1の動作と前記第2の動作とを交互に繰り返して行うことを特徴とするプラズマディスプレイ装置
【請求項１３】
交互に付設されたX電極及びY電極と、
前記X電極及びY電極に交差するアドレス電極と
前記X電極及びY電極にサステインパルスを印加することにより繰り返し放電を行う駆動回路とを有するプラズマディスプレイ装置であって、
前記駆動回路は前記X電極及びY電極のそれぞれに、立ち上がり時間または立ち下がり時間の異なる少なくとも2種類のサステインパルスを印加する駆動回路とを有するプラズマディスプレイ装置。
【請求項１４】
請求項１３に記載のプラズマディスプレイ装置であって、前記駆動回路は第１の立ち上がり時間または立ち下がり時間を持つ第１のサステインパルスと前記第１のサステインパルスとは立ち上がり時間または立ち下がり時間の異なるサステインパルスの2種類のサステインパルスを前記X電極に交互に印加し、第２の立ち上がり時間または立ち下がり時間を持つ第２のサステインパルスと前記第２のサステインパルスとは立ち上がり時間または立ち下がり時間の異なるサステインパルスの2種類のサステインパルスを前記Y電極に交互に印加することを特徴プラズマディスプレイ装置。
【手続補正２】
【補正対象書類名】明細書
【補正対象項目名】発明の名称
【補正方法】変更
【補正の内容】
【発明の名称】プラズマディスプレイ装置及びその駆動方法
【手続補正３】
【補正対象書類名】明細書
【補正対象項目名】０００１
【補正方法】変更
【補正の内容】
【０００１】
本発明は、プラズマディスプレイ装置及びその駆動方法に関する。